(57)【要約】      （修正有）【課題】生体の神経活動に伴って発生する磁場を非侵襲で計測する生体磁場計測装置により計測された対象部位の磁場のデータから、瘤状波成分を検出し、その電流源の情報を解析する装置を提供する。【解決手段】生体の神経活動に伴って発生する磁場を非侵襲で計測する生体磁場計測装置３００により計測された、対象部位の磁場のデータを受信する磁場データ受信部と、磁場データ受信部によって受信された磁場のデータから、主となる波形とは異なる電流源により生じた小さな波形の成分である瘤状波成分を検出する瘤状波成分検出部と、瘤状波成分検出部によって検出された瘤状波成分の電流源の情報を解析する電流源情報解析部とを備えることを特徴とする。【選択図】図１１
2015119818.tif 000002
【特許請求の範囲】
【請求項１】
生体の神経活動に伴って発生する磁場を非侵襲で計測する生体磁場計測装置により計測された、対象部位の磁場のデータを受信する磁場データ受信部と、
前記磁場データ受信部によって受信された磁場のデータから、主となる波形とは異なる電流源により生じた小さな波形の成分である瘤状波成分を検出する瘤状波成分検出部と、
前記瘤状波成分検出部によって検出された瘤状波成分の電流源の情報を解析する電流源情報解析部と
を備える生体磁場解析装置。
【請求項２】
前記生体磁場解析装置は、さらに、
前記電流源情報解析部によって解析された前記電流源の情報を、前記対象部位の画像と共に表示するための画面表示制御部を備えることを特徴とする請求項１に記載の生体磁場解析装置。
【請求項３】
前記電流源の情報は、前記電流源の位置情報を含むことを特徴とする請求項１または２に記載の生体磁場解析装置。
【請求項４】
前記電流源の情報は、前記電流源における電流の強さ情報および向き情報を含むことを特徴とする請求項１〜３のいずれか一項に記載の生体磁場解析装置。
【請求項５】
前記対象部位の画像は、前記対象部位を三次元で表示した三次元画像であることを特徴とする請求項１〜４のいずれか一項に記載の生体磁場解析装置。
【請求項６】
前記対象部位の画像は、前記対象部位の断面を二次元で表示した二次元画像であることを特徴とする請求項１〜４のいずれか一項に記載の生体磁場解析装置。
【請求項７】
前記対象部位は、心臓であることを特徴とする請求項１〜６のいずれか一項に記載の生体磁場解析装置。
【請求項８】
電流源情報解析部によって解析された前記電流源の情報は、空間フィルタ法または電流双極子法を用いて可視化されることを特徴とする請求項１〜７のいずれか一項に記載の生体磁場解析装置。
【請求項９】
生体の神経活動に伴って発生する磁場を非侵襲で計測する生体磁場計測装置と、
前記生体磁場計測装置によって測定された、対象部位の磁場のデータを受信する磁場データ受信部、
前記磁場データ受信部によって受信された磁場のデータから、主となる波形とは異なる電流源により生じた小さな波形の成分である瘤状波成分を検出する瘤状波成分検出部、および、
前記瘤状波成分検出部によって検出された瘤状波成分の電流源の情報を解析する電流源情報解析部
を有する生体磁場解析装置と
を備える生体磁場解析システム。
【請求項１０】
コンピュータに、
生体の神経活動に伴って発生する磁場を非侵襲で計測する生体磁場計測装置によって計測された、対象部位の磁場のデータを受信する磁場データステップと、
前記磁場データ受信ステップにおいて受信された磁場のデータから、主となる波形とは異なる電流源により生じた小さな波形の成分である瘤状波成分を検出する瘤状波成分検出ステップと、
前記瘤状波成分検出ステップにおいて検出された瘤状波成分の電流源の情報を解析する電流源情報解析ステップと
を処理させる生体磁場解析方法。
【請求項１１】
コンピュータに、
生体の神経活動に伴って発生する磁場を非侵襲で計測する生体磁場計測装置によって計測された、対象部位の磁場のデータを受信する磁場データ受信機能と、
前記磁場データ受信機能によって受信された磁場のデータから、主となる波形をとは異なる電流源により生じた小さな波形の成分である瘤状波成分を検出する瘤状波成分検出機能と、
前記瘤状波成分検出機能によって検出された瘤状波成分の電流源の情報を解析する電流源情報解析機能と
を実行させる生体磁場解析プログラム。
【発明の詳細な説明】
【技術分野】
【０００１】
本発明は、生体磁場解析装置、生体磁場解析システム、生体磁場解析方法および生体磁場解析プログラムに関し、特に、生体の神経活動に伴って発生する磁場を非侵襲で計測する生体磁場計測装置により計測された対象部位の磁場のデータから瘤状波成分を検出し、その電流源の情報を解析するための生体磁場解析装置、生体磁場解析システム、生体磁場解析方法および生体磁場解析プログラムに関する。
【背景技術】
【０００２】
従来、脊髄変性疾患は、経験に基づく神経学的所見や、ＭＲＩ、ＣＴ、Ｘ線画像等の形態的な画像情報に基づいて診断を行うのが一般的である。
【０００３】
図１は、人体の頚椎部分を左側から見た縦断面のＭＲＩ画像を模式的に示した図である。図１に示すような形態的な画像情報に基づいて診断を行う場合、通常、参照符号Ｘで示す部分で神経ｎが圧迫されていると判断され、この部分Ｘが障害部位であると診断される。
【０００４】
しかしながら、このような形態的な診断に基づいて障害部位を特定して治療を行っても、患者の症状が改善されない場合があった。反対に、疾患がないにも関わらず、画像情報では異変があるように見える場合や、複数の異変があり、どの部分が真の障害部位かが分からない場合なども生じていた。このように、形態的な画像情報に基づく診断の精度には限界がある。
【０００５】
一方で、神経の電気的活動を電位の変化として検査する技術が存在する。この技術は、生体内にカテーテル電極を挿入し、神経の電位を直接的に計測するものである。
【０００６】
しかしながら、上記技術は、体内に電極を挿入するという侵襲的な手法で電位を計測するため、生体にダメージを与えてしまうリスクがあった。
【０００７】
これに対し、近年では、特許文献１等に示すように、生体の神経機能を検査する生体磁場計測技術が開発されている。この技術によれば、生体の神経活動に伴って発生する磁場を非侵襲で計測することができる。
【０００８】
この計測により得られる磁場のデータは、そのままでは利用者が視覚的に対象部位の状態を認識するのは難しい。そこで、非特許文献１〜３に示すように、得られた磁場のデータを利用者にわかり易く可視化する技術についての開発が進められている。
【先行技術文献】
【特許文献】
【０００９】
【特許文献１】特開２０１１−２２９８０８号公報
【非特許文献】
【００１０】
【非特許文献１】佐藤朋也、足立善昭、友利正樹、榊経平、川端茂徳、関原健介、「脊髄機能イメージングソフトウェアSea-viewerの開発」、臨床神経生理学:Japanese journal of clinical neurophysiology、第37巻第4号、2009年8月1日、P123-129
【非特許文献２】Tomoya Sato, Yoshiaki Adachi, Masaki Tomori, Senichi Ishii, Shigenori Kawabata, and Kensuke Sekihara, “Functional Imaging of Spinal Cord Electrical Activity From Its Evoked Magnetic Field”、IEEE TRANSACTIONS ON BIOMEDICAL ENGINEERING、第56巻第10号、2009年10月、P2452-2460
【非特許文献３】中本修平、中村龍一、佐藤朋也、藤井奨、足立義昭、石井宣一、榊経平、川端茂徳、関原謙介、「脊髄誘発磁場における信号源再構成結果を用いた脊髄障害部位診断支援の検討」、第25回生体磁気学会論文集、第23巻第1号、2010年、P154-155
【発明の概要】
【発明が解決しようとする課題】
【００１１】
本発明者らは、生体磁場計測装置により計測された対象部位の磁場のデータに対し、より詳細な解析を行った。そして、複数の患者のデータの中に、対象部位の磁場のデータにおいて主となる波形の中に小さな波形が存在するデータがあることを発見した。そして、この小さな波形の存在が、対象部位の異常と関連があることを見出したのである。
【００１２】
本発明の目的は、生体の神経活動に伴って発生する磁場を非侵襲で計測する生体磁場計測装置により計測された対象部位の磁場のデータから、瘤状波成分を検出し、その電流源の情報を解析するための生体磁場解析装置、生体磁場解析システム、生体磁場解析方法および生体磁場解析プログラムを提供することにある。
【課題を解決するための手段】
【００１３】
本発明の生体磁場解析装置は、生体の神経活動に伴って発生する磁場を非侵襲で計測する生体磁場計測装置により計測された、対象部位の磁場のデータを受信する磁場データ受信部と、磁場データ受信部によって受信された磁場のデータから、主となる波形とは異なる電流源により生じた小さな波形の成分である瘤状波成分を検出する瘤状波成分検出部と、瘤状波成分検出部によって検出された瘤状波成分の電流源の情報を解析する電流源情報解析部とを備えることを特徴とする。
【００１４】
上記生体磁場解析装置は、さらに、電流源情報解析部によって解析された電流源の情報を、対象部位の画像と共に表示するための画面表示制御部を備えることができる。
【００１５】
上記電流源の情報は、電流源の位置情報を含むものとすることができる。
【００１６】
上記電流源の情報は、電流源における電流の強さ情報および向き情報を含むものとすることができる。
【００１７】
上記対象部位の画像は、対象部位を三次元で表示した三次元画像とすることができる。
【００１８】
上記対象部位の画像は、対象部位の断面を二次元で表示した二次元画像とすることができる。
【００１９】
上記対象部位は、心臓とすることができる。
【００２０】
上記電流源情報解析部によって解析された電流源の情報は、空間フィルタ法または電流双極子法を用いて可視化されることができる。
【００２１】
本発明の生体磁場解析システムは、生体の神経活動に伴って発生する磁場を非侵襲で計測する生体磁場計測装置と、生体磁場計測装置によって測定された、対象部位の磁場のデータを受信する磁場データ受信部、磁場データ受信部によって受信された磁場のデータから、主となる波形とは異なる電流源により生じた小さな波形の成分である瘤状波成分を検出する瘤状波成分検出部、および、瘤状波成分検出部によって検出された瘤状波成分の電流源の情報を解析する電流源情報解析部を有する生体磁場解析装置とを備えることを特徴とする。
【００２２】
本発明の生体磁場解析方法は、コンピュータに、生体の神経活動に伴って発生する磁場を非侵襲で計測する生体磁場計測装置によって計測された、対象部位の磁場のデータを受信する磁場データステップと、磁場データ受信ステップにおいて受信された磁場のデータから、主となる波形とは異なる電流源により生じた小さな波形の成分である瘤状波成分を検出する瘤状波成分検出ステップと、瘤状波成分検出ステップにおいて検出された瘤状波成分の電流源の情報を解析する電流源情報解析ステップとを処理させることを特徴とする。
【００２３】
本発明の生体磁場解析プログラムは、コンピュータに、生体の神経活動に伴って発生する磁場を非侵襲で計測する生体磁場計測装置によって計測された、対象部位の磁場のデータを受信する磁場データ受信機能と、磁場データ受信機能によって受信された磁場のデータから、主となる波形をとは異なる電流源により生じた小さな波形の成分である瘤状波成分を検出する瘤状波成分検出機能と、瘤状波成分検出機能によって検出された瘤状波成分の電流源の情報を解析する電流源情報解析機能とを実行させることを特徴とする。
【発明の効果】
【００２４】
本発明の生体磁場解析装置、生体磁場解析システム、生体磁場解析方法および生体磁場解析プログラムによれば、瘤状波成分を検出し、その電流源の情報を解析することにより、対象部位の異常を発見することができる。
【図面の簡単な説明】
【００２５】
【図１】人体の頚椎部分のＭＲＩ画像を模式的に示す。
【図２】本発明の生体磁場解析装置のブロック図の一例を示す。
【図３】（ａ）は、心臓の磁場のデータの波形グラフを示し、（ｂ）は、グラフに表示した波形の各センサの位置を示し、（ｃ）は、心電装置による一般的な心臓の磁場の波形グラフを示す。
【図４】本発明の実施形態に従う瘤状波成分の表示例を示す。
【図５】本発明の実施形態に従う電流源情報の表示例を示す。
【図６】本発明の実施形態に従う電流源情報の他の表示例を示す。
【図７】本発明の実施形態に従う電流源情報の他の表示例を示す。
【図８】本発明の実施形態に従う電流源情報の他の表示例を示す。
【図９】本発明の実施形態における瘤状波成分を説明するための胃の磁場の計測結果を示す。
【図１０】本発明の実施形態における瘤状波成分を説明するための地球の磁場の計測結果を示す。
【図１１】本発明の実施形態に従う生体磁場解析システムを模式的に示す。
【図１２】本発明の実施形態に従う生体磁場計測装置の内部構造を模式的に示す。
【図１３】本発明の実施形態に従うセンサの位置把握方法を模式的に示す。
【図１４】本発明の実施形態に従う生体磁場解析方法のフローを示す。
【発明を実施するための形態】
【００２６】
本発明の生体磁場解析装置の実施形態について、図面を参照しながら詳細に説明する。
【００２７】
図２は、本発明の実施形態に従う生体磁場解析装置１００の一例を模式的に示したものである。
上記生体磁場解析装置１００は、磁場データ受信部１１０、瘤状波成分検出部１２０、電流源情報解析部１３０を備える。
【００２８】
上記磁場データ受信部１１０は、生体の神経活動に伴って発生する磁場を非侵襲で計測する生体磁場計測装置により計測された、対象部位の磁場のデータを受信する。生体磁場計測装置の詳細については後述する。
【００２９】
上記瘤状波成分検出部１２０は、磁場データ受信部１１０によって受信された磁場のデータから、瘤状波成分を検出する。本明細書において、瘤状波成分とは、主となる波形を構成する波とは異なる電流源により生じた小さな波形の成分をいう。
【００３０】
上記電流源情報解析部１３０は、瘤状波成分検出部１２０によって検出された瘤状波成分の電流源の情報を解析する。
【００３１】
上記生体磁場解析装置１００は、さらに、画面表示制御部１４０を有するのが好ましい。
【００３２】
上記画面表示制御部１４０は、電流源情報解析部１３０によって解析された電流源の情報を、対象部位の画像と共に表示する。
【００３３】
上記電流源の情報は、電流源の位置情報を含むものとすることができる。
【００３４】
上記電流源の情報は、電流源における電流の強さ情報および向き情報を含むものとすることができる。
【００３５】
上記対象部位の画像は、対象部位を三次元で表示した三次元画像とすることができる。
【００３６】
上記対象部位の画像は、対象部位の断面を二次元で表示した二次元画像とすることができる。
【００３７】
このような本発明の生体磁場解析装置１００において、上記対象部位が心臓である場合について、具体例を挙げて説明する。
【００３８】
上述した瘤状波成分は、例えば、肺静脈の異常興奮を原因とする心房細動患者の心臓の磁場のデータから検出される。
【００３９】
図３（ａ）は、本発明の生体磁場解析装置１００が受信した、生体磁場計測装置が計測した被験者の心臓の磁場のデータを波形グラフに変換して表示したものである。なお、この被験者は、従来の電位計測により肺静脈異常興奮が確認されている。図３（ｂ）は、生体磁場計測装置の各磁気センサの位置を、被験者の背中側に示したものであり、図中のセンサＡ〜Ｄが、図３（ａ）の波形Ａ〜Ｄに対応する。図３（ｃ）は、心電装置による一般的な心臓の磁場の波形を示したものであり、通常、Ｐ波、Ｑ波、Ｒ波、Ｓ波、Ｔ波の順で計測される。
【００４０】
本発明の瘤状波成分検出部１１０は、Ｐ波部分の微細構造から、瘤状波成分を検出することができる。図３（ａ）に示すＰ波部分の微細構造に着目すると、Ｐ波として確認される主となる波形の中に、図中に丸で囲んだ小さな波形が確認できる。この小さな波形である瘤状波は、大きな波形とは別の磁場源によるものである。この点については後述する。
【００４１】
図４（ａ）〜（ｄ）は、瘤状波成分検出部１１０が検出した瘤状波の表示例を説明するための模式図である。図４（ａ）は、被験者の心臓を背側から見た場合の各磁気センサ位置を表したものである。図４（ｂ）は、図４（ａ）にその位置を示した各磁気センサからの磁場の波形をセンサ配列に合わせて表示したものである。図４（ｃ）は、図４（ａ）において鎖線で囲んだＰ波のみを拡大して表示したものである。そして、図４（ｄ）は、図４（ｃ）で表示したＰ波から実線で囲んだ瘤状波を抽出して表示したものである。
【００４２】
図５（ａ）および（ｂ）は、本発明の電流源情報解析部１３０が解析した上記瘤状波成分の電流源の情報の表示例を説明するための模式図である。図５（ａ）は、図４（ｄ）に示した時刻Ａにおける瘤状波成分の磁場分布をアローマップでセンサ配置に重畳して表示したものであり、図５（ｂ）は、図４（ｄ）に示した時刻Ｂにおける瘤状波成分の磁場分布をアローマップでセンサ配置に重畳して表示したものである。各矢印の向きは、磁場の向きを、各矢印の大きさは、磁場の大きさを示している。
【００４３】
図６（ａ）および（ｂ）は、本発明の電流源情報解析部１３０が解析した上記瘤状波成分の電流源の情報の他の表示例を説明するための模式図である。図６（ａ）は、図４（ｄ）に示した時刻Ａにおける磁場分布から計算で求めた瘤状波の磁場源（電流）の位置と向きを矢印でセンサ配置に重畳して表示したものであり、図６（ｂ）は、図４（ｄ）に示した時刻Ｂにおける磁場分布から計算で求めた瘤状波の磁場源（電流）の位置と向きを矢印でセンサ配置に重畳して表示したものである。
【００４４】
図７（ａ）〜（ｄ）は、本発明の画面表示制御部１４０による表示例を説明するための模式図である。図７（ａ）は、瘤状波の磁場源（電流分布）を三次元再構成した心臓モデルの表面に表示したものである。図７（ｂ）は、瘤状波の磁場源（電流分布）を再構成した心臓モデルを二次元平面に投影した図と重畳表示したものである。また、図７（ｃ）は、図７（ａ）を、瘤状波の磁場源であると推測される部位に限局して表示したものである。図７（ｄ）は、図７（ｂ）を、瘤状波の磁場源であると推測される部位に限局して表示したものである。
【００４５】
図８（ａ）および（ｂ）は、本発明の画面表示制御部１４０による他の表示例を説明するための模式図である。図８（ａ）は、瘤状波の磁場源となる電流分布を矢印の位置、向きで表現し、再構成した心臓モデル表面に配置したものである。図８（ｂ）は、二次元投影図上にアローマップを表示したものである。
【００４６】
上記瘤状波の説明において、この瘤状波が大きな波とは別の磁場源によるものであると記載したが、これについて例を挙げて説明する。
【００４７】
図９は、生体の胃の磁場を計測した磁場データである。ゆっくりとした律動はｃｈ０〜ｃｈ３とｃｈ４〜ｃｈ６で位相が反転しているが、図中に丸で囲んだ瘤状波の位相は同じである。これは、ゆっくりとした律動と瘤状波の源の位置が異なることを表している。
【００４８】
図１０は、地磁気を観測した磁場データである。地磁気は、太陽放射で電離層が温められることによって対流が起こるため、１日周期の変動がある。一方、地下の断層が受ける圧力が変化すると、圧電効果により局所的な地電流が発生し、図中に丸で囲んだような瘤状波が現れる。対象放射による日変動は非常に広範囲で同期して起こるが、地電流発生による瘤状波は時間的にも空間的にも局在する。
【００４９】
このように、瘤状波と大きな波とは、異なる磁場源によるものであると判断することができる。
【００５０】
上記例では、対象部位が心臓である場合について説明したが、例えば脊髄や腰椎部、消化器系等の他の部位を対象部位とすることもできる。
【００５１】
また、上記電流源情報解析部１３０によって解析された電流源の情報は、空間フィルタ法または電流双極子法を用いて可視化されることができる。
【００５２】
続いて、本発明の生体磁場解析システムの実施形態について、図面を参照しながら詳細に説明する。
【００５３】
図１１（ａ）は、本発明の生体磁場解析システムの一例を模式的に示したものである。図１１（ａ）に示す本発明の生体磁場解析システムでは、図１１（ｂ）に示す磁場観測領域の磁場を測定し、解析する。図１１（ｃ）に示すように、ｙ方向に感度のある磁気センサにより、肺静脈の磁場を測定する。
【００５４】
図１１（ａ）に示すように、本発明の生体磁場解析システム１は、生体磁場計測装置２００と、生体磁場解析装置３００とを備える。
【００５５】
これら生体磁場計測装置２００と生体磁場解析装置３００とは、有線または無線で接続されることができ、また、ネットワークを介して接続されることもできる。
【００５６】
生体磁場解析装置３００は、上述した生体磁場解析装置１００とすることができ、その詳細については上述した通りである。
【００５７】
図１２は、生体磁場計測装置２００の内部構造を模式的に示したものである。
図１１および図１２に示すように、生体磁場計測装置２００は、磁気センサ部２１０を有する。この磁気センサ部２１０は、例えば超伝導量子干渉素子のような高感度磁気センサ２２０から構成されている。また、この磁気センサ部２１０の対象部位との当接部分は、対象部位との接触面積が多くなるよう構成されるのが好ましい。具体的には、対象部位が心臓の場合、背部に沿うように構成されることができる。
【００５８】
そして、このとき、生体磁場計測装置２００は、さらに、高感度磁気センサ２２０を超伝導状態に保つための低温保持部２３０を有するのが好ましい。
【００５９】
具体的には、図１２に示すように、生体磁場計測装置２００は、低温液体を貯留する内槽２４０、この内槽２４０の周面から側方へ突出した有底筒状の内センサ筒２５０、この内センサ筒２５０の内部に設置された高感度磁気センサ２２０、内槽２４０および内センサ筒２５０との間に空間２６０を形成するように内槽２４０および内センサ筒２５０を包む外槽２７０を有する。空間２６０は真空状態に保たれる。
【００６０】
また、図１１に示すように、生体磁場計測装置２００は、Ｘ線撮影部６００を有することもできる。このＸ線撮影装置６００により、被験者と磁気センサとの位置合わせが容易になり、また、解析の支援にも用いられることができる。
【００６１】
また、被験者は、寝位または座位の姿勢をとり、磁気センサ部２１０に対象部位が当たるようにする。
【００６２】
生体磁場計測装置２００は、微弱な磁場を計測するため、外部と磁気的に遮蔽された部屋７００内に配置するのが好ましい。
【００６３】
また、本発明の生体磁場計測システム１は、被験者の心電を計測する心電装置４００を有することもできる。この時、生体磁場解析装置３００と心電装置４００とは、トリガ信号を送受信する。この心電のデータを加算平均することにより、生体磁場測定装置２００が測定した磁場のデータのノイズを除去することができる。
【００６４】
また、本発明の生体磁場計測システム１は、生体磁場計測装置２００で計測した磁場データを、増幅装置５００を介して生体磁場解析装置３００に送信する。生体磁場解析装置３００は、増幅装置５００に対して制御信号を送信する。
【００６５】
さらに、本発明の生体磁場計測システム１は、被験者の対象部位の体表面の特定の位置にマーカーコイルを装着し、その磁場を複数のセンサで検出するよう構成することもできる。
【００６６】
図１３（ａ）〜（ｃ）は、対象部位が脊髄である場合の例を示したものである。図１３（ａ）に示すように、対象部位の体表面の特定の位置に複数のマーカーコイル（図１３では、５個のマーカーコイル８０１〜８０５）を装着する。これらマーカーコイルは、磁場を形成する。
【００６７】
そして、図１３（ｂ）に示すように、これらマーカーコイルの磁場をセンサにより検出する。図１３（ｃ）に示すように、各センサで検出したマーカーコイルからの磁場信号を解析して、センサに対するマーカーコイルの位置を求める。
【００６８】
別途、Ｘ線撮像装置６００により対象部位のＸ線画像を撮像すれば、対象部位とマーカーコイルの相対位置が決まる。これにより、磁気センサと被験者の対象部位との位置関係を把握することができる。
【００６９】
心臓を対象とする場合、具体的には、瘤状波を計測する際のセンサ配置は観測領域の中央付近が被験者の背側の肺静脈の直下に位置するように、またセンサの向きは感度方向が体表面と平行かつ体軸に略平行の向きになるよう配置する。例えば、センサは、体表面と平行かつ体軸から−３０度〜３０度の向きとするのが好ましい。
【００７０】
続いて、本発明の生体磁場解析方法の実施形態について、図面を参照しながら説明する。
【００７１】
本発明の生体磁場解析方法は、図１４に示すように、コンピュータに、磁場データ受信ステップ（Ｓ１１０）と、瘤状波成分検出ステップ（Ｓ１２０）と、電流源情報解析ステップ（Ｓ１３０）とを処理させることを特徴とする。また、本発明の生体磁場解析方法は、さらに、コンピュータに、画面表示制御ステップ（Ｓ１４０）を処理させるのが好ましい。
【００７２】
上記磁場データ受信ステップ（Ｓ１１０）は、生体の神経活動に伴って発生する磁場を非侵襲で計測する生体磁場計測装置によって計測された、対象部位の磁場のデータを受信する。この磁場データ受信ステップ（Ｓ１１０）は、上述した磁場データ受信部１１０により処理されることができる。
【００７３】
上記瘤状波成分検出ステップ（Ｓ１２０）は、磁場データ受信ステップ（Ｓ１１０）において受信された磁場のデータから、主となる波形とは異なる電流源により生じた小さな波形の成分である瘤状波成分を検出する。この瘤状波成分検出ステップ（Ｓ１２０）は、上述した瘤状波成分検出部１２０により処理されることができる。
【００７４】
上記電流源情報解析ステップ（Ｓ１３０）は、瘤状波成分検出ステップ（Ｓ１２０）おいて検出された瘤状波成分の電流源の情報を解析する。この電流源情報解析ステップ（Ｓ１３０）は、上述した電流源情報解析部１３０により処理されることができる。
【００７５】
上記画面表示制御ステップ（Ｓ１４０）は、電流源情報解析ステップ（Ｓ１３０）において解析された電流源の情報を、対象部位の画像と共に表示する。この画面表示制御ステップ（Ｓ１４０）は、上述した画面表示制御部１４０により処理されることができる。
【００７６】
最後に、本発明の生体磁場解析プログラムの実施形態について説明する。
【００７７】
本発明の生体磁場解析プログラムは、コンピュータに、磁場データ受信機能と、瘤状波成分検出機能と、電流源情報解析機能とを実現させることを特徴とする。また、本発明の生体磁場解析プログラムは、さらに、コンピュータに、画面表示制御機能を実現させるのが好ましい。
【００７８】
上記磁場データ受信機能は、生体の神経活動に伴って発生する磁場を非侵襲で計測する生体磁場計測装置によって計測された、対象部位の磁場のデータを受信する。この磁場データ受信機能は、上述した磁場データ受信部１１０により実行されることができる。
【００７９】
上記瘤状波成分検出機能は、磁場データ受信機能によって受信された磁場のデータから、主となる波形をとは異なる電流源により生じた小さな波形の成分である瘤状波成分を検出する。この瘤状波成分検出機能は、上述した瘤状波成分検出部１２０により実行されることができる。
【００８０】
上記電流源情報解析機能は、瘤状波成分検出機能によって検出された瘤状波成分の電流源の情報を解析する。この電流源情報解析機能は、上述した電流源情報解析部１３０により実行されることができる。
【００８１】
上記画面表示制御機能は、電流源情報解析機能によって解析された電流源の情報を、対象部位の画像と共に表示する。この画面表示制御機能は、上述した画面表示制御部１４０により実行されることができる。
【００８２】
上記プログラムは、コンピュータが読み取り可能な記録媒体に記録されて提供することができる。記録媒体としては、ＣＤ−ＲＯＭやＤＶＤ等、コンピュータが読み取り可能なものであれば特に限定されるものではない。
【００８３】
上述したところは、代表的な実施形態の例を示したものであって、本発明はこの実施形態に限定されるものではない。
【符号の説明】
【００８４】
１          生体磁場解析システム
１００          生体磁場解析装置
１１０          磁場データ受信部
１２０          瘤状波成分検出部
１３０          電流源情報解析部
１４０          画面表示制御部
２００          生体磁場計測装置
２１０          磁気センサ部
２２０          高感度磁気センサ
２３０          低温保持部
２４０          内槽
２５０          内センサ筒
２６０          空間
２７０          外槽
３００          生体磁場解析装置
４００          心電装置
５００          増幅装置
６００          Ｘ線撮影装置
７００          磁気遮蔽室
８０１〜８０５  マーカーコイル
【図１】
2015119818.tif 000003
【図２】
2015119818.tif 000004
【図３】
2015119818.tif 000005
【図４】
2015119818.tif 000006
【図５】
2015119818.tif 000007
【図６】
2015119818.tif 000008
【図７】
2015119818.tif 000009
【図８】
2015119818.tif 000010
【図９】
2015119818.tif 000011
【図１０】
2015119818.tif 000012
【図１１】
2015119818.tif 000013
【図１２】
2015119818.tif 000014
【図１３】
2015119818.tif 000015
【図１４】
2015119818.tif 000016